(57)【特許請求の範囲】
【請求項１】
容器本体と該容器本体の開口を覆う蓋体とを有する樹脂製の容器であって、
前記容器本体は、前記開口の辺縁を形成する立上側壁を有し、
前記蓋体は、前記開口の閉塞時に前記立上側壁の外側に位置する垂下側壁を有し、
前記立上側壁および前記垂下側壁は、平面視にて四角形とされて四隅に円弧状の本体側角部および蓋体側角部を有するとともに、前記開口を挟んで対向しかつ外側から把持される側の一対の把持側辺と、前記開口を挟みかつ前記把持側辺に対して角度をなして対向する一対の非把持側辺とを有し、
前記本体側角部の外周部には、外側に突出し周方向に所定の長さを有した少なくとも１つの本体側係合部が設けられ、
前記蓋体側角部の内周部には、内側に突出し周方向に所定の長さを有して前記本体側係合部と係脱する少なくとも１つの蓋体側係合部が設けられ、
前記容器本体において、
最も前記把持側辺寄りに設けられた本体側係合部の前記把持側辺側の一端部は、前記円弧状の本体側角部を形成する円弧中心から、一対の前記把持側辺の対向方向と平行で、該把持側辺に向けて延ばした仮想直線を基準として４０．５°〜６０°の角度範囲に位置し、
最も前記把持側辺寄りに設けられた本体側係合部の前記非把持側辺側の他端部は、前記仮想直線を基準として９０°までの角度範囲に位置する
ことを特徴とする容器。
【請求項２】
容器本体と該容器本体の開口を覆う蓋体とを有する樹脂製の容器であって、
前記容器本体は、前記開口の辺縁を形成する立上側壁を有し、
前記蓋体は、前記開口の閉塞時に前記立上側壁の外側に位置する垂下側壁を有し、
前記立上側壁および前記垂下側壁は、平面視にて四角形とされて四隅に円弧状の本体側角部および蓋体側角部を有するとともに、前記開口を挟んで対向しかつ外側から把持される側の一対の把持側辺と、前記開口を挟みかつ前記把持側辺に対して角度をなして対向する一対の非把持側辺とを有し、
前記本体側角部の外周部には、外側に突出し周方向に所定の長さを有した少なくとも１つの本体側係合部が設けられ、
前記蓋体側角部の内周部には、内側に突出し周方向に所定の長さを有して前記本体側係合部と係脱する少なくとも１つの蓋体側係合部が設けられ、
前記蓋体において、
最も前記把持側辺寄りに設けられた蓋体側係合部の前記把持側辺側の一端部は、前記円弧状の蓋体側角部を形成する円弧中心から、一対の前記把持側辺の対向方向と平行で、該把持側辺に向けて延ばした仮想直線を基準として４０．５°〜６０°の角度範囲に位置し、
最も前記把持側辺寄りに設けられた蓋体側係合部の前記非把持側辺側の他端部は、前記仮想直線を基準として９０°までの角度範囲に位置する
ことを特徴とする容器。
【請求項３】
請求項１または請求項２に記載の容器において、
前記本体側係合部の下部および前記蓋体側係合部の上部のうちの一方の断面形状は凹状とされ、他方の断面形状は前記一方に対して凹凸係合可能な凸状とされている
ことをと特徴とする容器。
【発明の詳細な説明】
【技術分野】
【０００１】
本発明は、容器に関する。
【背景技術】
【０００２】
従来、バターやマーガリン、ジャム、ヨーグルト等の食品を収容する平面矩形状の樹脂製容器が知られている（例えば、特許文献１参照）。このような容器は、食品が充填される有底の容器本体と、容器本体の開口部の外周部に係脱して当該開口部を開閉可能な有天の蓋体とで構成される。
【０００３】
容器本体および蓋体の係脱構造として、容器本体の外周部のコーナー部分には、外側に向けて突出した容器本体側の係合爪部が成形され、蓋体の内周部のコーナー部分には、内側に向けて突出した蓋体側の係合爪部が成形されることが一般的である。そのような係合爪部は、周方向に沿って所定の長さで設けられる。
【０００４】
蓋体により容器本体の開口部を閉塞する場合、蓋体を容器本体に上方から押し込み気味に被せることで、容器本体では係合爪部の周囲が弾性変形し、蓋体側では係合爪部の周囲が弾性変形し、蓋体側の係合爪部が本体側の係合爪部を乗り越えて当該本体側の係合爪部の下部に係合する。
【０００５】
一方、蓋体を容器本体から外して開口部を開放する場合、平面矩形状とされた蓋体の長辺側を外側から把持し、容器本体ごと内側にゆがませて弾性変形させる。そうすると、蓋体の短辺側が外側に広がるようにゆがみ、蓋体のコーナー部分が容器本体のコーナー部分から外側に離間し、蓋体および容器本体の互いの係合爪部の係合が解除される。
【先行技術文献】
【特許文献】
【０００６】
【特許文献１】特開２０１５−１８７００６号公報
【発明の概要】
【発明が解決しようとする課題】
【０００７】
ところで、バターのように、マーガリンなどと比較して硬めの食品を収容する場合には、容器本体の肉厚を厚くし、剛性および強度を高めることが望まれる。こうすることで、バターをバターナイフで掬おうとした時に、硬さが硬いことでうまく掬えず、その勢いでバターナイフが容器本体にあたっても、容器本体の損傷を抑制することができる。
【０００８】
しかしながら、容器本体の肉厚を厚くして剛性を高めると、蓋体を容器本体から外す際、蓋体を把持して容器本体ごとゆがませようとしても、容器本体がゆがみにくいことに併せて、蓋体もゆがみにくくなるため、蓋体が外しにくくなるという課題がある。
【０００９】
本発明の目的は、容器本体の剛性を高めた場合でも、蓋体を容易に外すことができる容器を提供することにある。
【課題を解決するための手段】
【００１０】
本発明の容器は、容器本体と該容器本体の開口を覆う蓋体とを有する樹脂製の容器であって、前記容器本体は、前記開口の辺縁を形成する立上側壁を有し、前記蓋体は、前記開口の閉塞時に前記立上側壁の外側に位置する垂下側壁を有し、前記立上側壁および前記垂下側壁は、平面視にて四角形とされて四隅に円弧状の本体側角部および蓋体側角部を有するとともに、前記開口を挟んで対向しかつ外側から把持される側の一対の把持側辺と、前記開口を挟みかつ前記把持側辺に対して角度をなして対向する一対の非把持側辺とを有し、前記本体側角部の外周部には、外側に突出し周方向に所定の長さを有した少なくとも１つの本体側係合部が設けられ、前記蓋体側角部の内周部には、内側に突出し周方向に所定の長さを有して前記本体側係合部と係脱する少なくとも１つの蓋体側係合部が設けられ、前記容器本体において、最も前記把持側辺寄りに設けられた本体側係合部の前記把持側辺側の一端部は、前記円弧状の本体側角部を形成する円弧中心から、一対の前記把持側辺の対向方向と平行で、該把持側辺に向けて延ばした仮想直線を基準として３０°〜６０°の角度範囲に位置し、最も前記把持側辺寄りに設けられた本体側係合部の前記非把持側辺側の他端部は、前記仮想直線を基準として９０°までの角度範囲に位置することを特徴とする。
本発明の容器は、容器本体と該容器本体の開口を覆う蓋体とを有する樹脂製の容器であって、前記容器本体は、前記開口の辺縁を形成する立上側壁を有し、前記蓋体は、前記開口の閉塞時に前記立上側壁の外側に位置する垂下側壁を有し、前記立上側壁および前記垂下側壁は、平面視にて四角形とされて四隅に円弧状の本体側角部および蓋体側角部を有するとともに、前記開口を挟んで対向しかつ外側から把持される側の一対の把持側辺と、前記開口を挟みかつ前記把持側辺に対して角度をなして対向する一対の非把持側辺とを有し、前記本体側角部の外周部には、外側に突出し周方向に所定の長さを有した少なくとも１つの本体側係合部が設けられ、前記蓋体側角部の内周部には、内側に突出し周方向に所定の長さを有して前記本体側係合部と係脱する少なくとも１つの蓋体側係合部が設けられ、前記蓋体において、最も前記把持側辺寄りに設けられた蓋体側係合部の前記把持側辺側の一端部は、前記円弧状の蓋体側角部を形成する円弧中心から、一対の前記把持側辺の対向方向と平行で、該把持側辺に向けて延ばした仮想直線を基準として３０°〜６０°の角度範囲に位置し、最も前記把持側辺寄りに設けられた蓋体側係合部の前記非把持側辺側の他端部は、前記仮想直線を基準として９０°までの角度範囲に位置することを特徴とする。
【００１１】
本発明の容器によれば、本体側係合部あるいは蓋体側係合部の把持辺側の一端部は、前記仮想直線を基準として３０°〜６０°の間に位置しているため、それら本体側係合部あるいは蓋体側係合部が非把持辺側に寄った位置から形成され始めることになり、把持辺側での互いの係合代が小さくなる。従って、蓋体の把持辺を把持して内側にゆがませると、蓋体の非把持辺側の僅かなゆがみで本体側係合部と蓋体側係合部との係合が非把持辺側の端部から外れようになり、容器本体の剛性を高めた場合でも、蓋体を容易に外すことができる。
【００１２】
３０°よりも小さい角度範囲から一端部が形成されていると、係合代を十分に小さくすることができず、本発明の効果を奏しにくい。反対に、６０°を越えて一端部が形成されていると、僅かな衝撃や外力が容器に作用しただけで蓋体が容易に外れる可能性があり、実用的ではない。
【００１３】
本発明の容器において、前記本体側係合部の下部および前記蓋体側係合部の上部のうちの一方の断面形状は凹状とされ、他方の断面形状は前記一方に対して凹凸係合可能な凸状とされていることが好ましい。
本発明によれば、本体側係合部と蓋体側係合部とが凹凸係合するので、僅かな把持力で互いの係合を外すことができる一方で、容器が落下した際の衝撃や、蓋体の上方からの外力などによって容易に外れることを防止でき、容器本体を蓋体にて安定して閉塞しておくことができる。
【図面の簡単な説明】
【００１４】
【図１】本発明の一実施形態に係る容器の全体を示す分解斜視図。
【図２】容器を構成する容器本体および蓋体の係合部分を示す断面図。
【図３】容器本体の要部を示す拡大図。
【図４】第１変形例を示す断面図。
【図５】第２変形例を示す拡大図。
【発明を実施するための形態】
【００１５】
以下、図面に基づいて本発明の一実施形態について説明する。
図１は、本実施形態に係る容器１の全体を示す分解斜視図である。図２は、容器１の要部を示す断面図である。
【００１６】
［容器］
図１において、容器１は、例えばバターなどの硬めの食品を収容するものであり、樹脂製の成型品である。容器１は、上部に開口２Ａが形成された有底の容器本体２と、容器本体２に係脱自在に取り付けられ開口２Ａを覆う有天の蓋体３とを備えている。
【００１７】
ここで、容器本体２の肉厚は、バターに比較して軟らかいマーガリンや、ジャム、ヨーグルト等の他の食品を収容するために用いられる容器本体よりも厚く、容器本体２の剛性が高められている。これは、より勢いよく扱われるバターナイフが容器本体２にあたっても、剛性が高められていることで、その損傷を防止するためである。ただし、蓋体３の肉厚は、上記の他の食品に用いられる容器の蓋体と同程度に薄く、特段に剛性や強度が高められているといったことはない。
【００１８】
［容器本体］
図１において、容器本体２は、底面部２１と、底面部２１の周縁から上方に立設された側面部２２とを有している。側面部２２の上端縁には、図２にも示すように、外部に向けて水平に延出した第１鍔部２３が周方向に沿って連続して設けられている。第１鍔部２３の先端縁には、開口２Ａの辺縁を形成する鉛直な立上側壁２４が設けられている。
【００１９】
立上側壁２４は、平面視にて矩形状とされて四隅に円弧状の本体側角部２５を有するとともに、開口２Ａを挟んで対向しかつ外側から把持される側の一対の把持側辺としての本体側長辺２６と、開口２Ａを挟みかつ本体側長辺２６に対して略直角をなして対向する一対の非把持側辺としての本体側短辺２７とを有している。
【００２０】
また、立上側壁２４の下端縁には、本体側角部２５、本体側長辺２６、および本体側短辺２７にわたる第２鍔部２８が周方向に沿って連続して設けられている。このような第２鍔部２８は、蓋体３を支持する部位である。図１では、第２鍔部２８は、本体側短辺２７およびその両側の本体側角部２５にかけては大きく延設され、本体側長辺２６に対応した位置では蓋体３の厚さ程度に小さく延設されて描かれているが、例えば周方向に沿って略同じ延設長さで形成される場合もある。
【００２１】
本体側角部２５の外周部には、外側に突出し周方向に所定の長さを有した１条の本体側係合部２９が成型により設けられている。
【００２２】
［蓋体］
蓋体３は、天面部３１と、天面部３１の周縁から下方に垂設された側面部３２とを有している。側面部３２の下端縁には、外部に向けて水平に僅かに延出した第１鍔部３３が周方向に沿って連続して設けられている。第１鍔部３３の先端縁には、容器本体２の開口２Ａの閉塞時に立上側壁２４の外側に位置する垂下側壁３４が設けられている。第１鍔部３３の先端縁は、垂下側壁３４の上端縁と連続している。
【００２３】
垂下側壁３４も、平面視にて矩形状とされて四隅に円弧状の蓋体側角部３５を有するとともに、容器本体２の開口２Ａを挟んで対向しかつ外側から把持される側の一対の把持側辺としての蓋体側長辺３６と、開口２Ａを挟みかつ蓋体側長辺３６に対して略直角をなして対向する一対の非把持側辺としての蓋体側短辺３７とを有している。
【００２４】
また、垂下側壁３４の下端縁には、蓋体側角部３５、蓋体側長辺３６、および蓋体側短辺３７にわたる第２鍔部３８（図２にのみ図示）が周方向に沿って連続して設けられている。このような第２鍔部３８が容器本体２の第２鍔部２８に当接され、蓋体３が支持される。
【００２５】
蓋体側角部３５の内周部には、内側に突出し周方向に所定の長さを有して本体側係合部２９と係脱する蓋体側係合部３９がアンダーカット成型により設けられている。
【００２６】
［本体側係合部］
以下、図３をも参照して本体側係合部２９について詳説する。
図３には、１箇所の本体側角部２５の周辺が示されている。図３において、本体側係合部２９の本体側長辺２６の一端部としての端部２９Ａは、円弧状の本体側角部２５を形成する円弧中心Ｏから、一対の本体側長辺２６の対向方向と平行で、該本体側長辺２６に向けて延ばした仮想直線ＢＬを基準として３０°〜６０°の角度範囲に位置し、本実施形態では４０．５°とされ、角度αで示されている。つまり、端部２９Ａは、角度αとして３０°よりも小さい角度範囲には存在しない。
【００２７】
また、本体側係合部２９の本体側短辺２７の他端部としての端部２９Ｂは、仮想直線ＢＬを基準として９０°までの角度範囲に位置し、本実施形態では６０°とされ、角度αに角度βを加算した角度で示される。従って、本体側係合部２９は、角度βの範囲で形成されていることになり、その角度範囲は１９．５°である。このように、本実施形態の本体側係合部２９は、従来になく本体側短辺２７寄りの位置から始まって形成されている。
【００２８】
なお、詳細な図示および説明を省略するが、蓋体側係合部３９は、角度αおよび角度βを参考として用いて説明すると、一端部が角度α＝３０°の位置に存在し、他端部が角度α＋β＝６０°の位置に存在し、３０°の角度範囲にわたって形成されている。すなち、蓋体側係合部３９は、角度αでの４５°を中心として、蓋体側長辺３６および蓋体側短辺３７に向かって均等な長さで延設されている。
【００２９】
［蓋体の取り外し］
図２の状態にある蓋体３を容器本体２から外して開口２Ａを開放する場合、蓋体３の対向する蓋体側長辺３６を外側から把持し、蓋体３を内側にゆがませて弾性変形させる（図１中の白抜き矢印および２点鎖線参照）。そうすると、蓋体３の蓋体側短辺３７が外側に広がるようにゆがみ、蓋体３の蓋体側角部３５が容器本体２の本体側角部２５から外側に離間し、蓋体３および容器本体２の互いの係合部２９，３９の係合が解除され、蓋体３が容器本体２から外れる。この間、容器本体２は、蓋体３の把持によって蓋体３がゆがむのに対し、本体側長辺２６が僅かに弾性変形する程度で、殆どゆがむことはない。
【００３０】
［実施形態の効果］
以上に説明した本実施形態によれば、本体側係合部２９の本体側長辺２６側の端部２９Ａは、仮想直線ＢＬを基準として３０°〜６０°の間に位置しているため、本体側係合部２９が本体側短辺２７側に寄った位置から形成され始めることになり、本体側長辺２６側での蓋体側係合部３９と係合代を小さくできる。従って、蓋体３の蓋体側長辺３６を把持して内側にゆがませると、これに併せて容器本体２をゆがませなくとも、蓋体３の蓋体側短辺３７の僅かなゆがみで本体側係合部２９と蓋体側係合部３９との係合を本体側短辺２７側の端部２９Ｂから外すことができ、容器本体２の剛性を高めた場合でも、蓋体３を容易に外すことができる。
【００３１】
［変形例］
本発明は、前記実施形態に限定されるものではなく、本発明の目的を達成できる範囲での変更等は、本発明に含まれる。
【００３２】
〈第１変形例〉
図４には、本発明の第１変形例が示されている。
本変形例では、本体側係合部２９の下部には、円弧面を有する断面凹状の凹状部２９Ｃが長手方向に沿って設けられている。蓋体側係合部３９の断面形状は、従来通りの半円形状であり、蓋体側係合部３９の上部が凹状部２９Ｃに対して凹凸係合し、互いの係合状態が維持される。
【００３３】
本変形例によれば、本体側係合部２９と蓋体側係合部３９とが凹凸係合するので、前記実施形態で説明したように、僅かな把持力で互いの係合を外すことができる一方で、容器１が落下した際の衝撃などによって容易に外れることを防止でき、容器本体２を蓋体３にて安定して閉塞しておくことができる。なお、蓋体側係合部３９の上部に凹状部を設け、本体側係合部２９の断面形状を半円形状としてもよい。
【００３４】
〈第２変形例〉
図５には、本発明の第２変形例が示されている。
本変形例では、本体側係合部２９の端部２９Ａ，２９Ｂ側に、より先端に向かうに従ってかつより下部に向かうに従って徐々に薄くなる傾斜面部２９Ｄが設けられている。
【００３５】
本変形例によれば、本体側係合部２９と蓋体側係合部３９との係合が解除される際には、本体側係合部２９に対して、特にその端部２９Ｂ側から蓋体側係合部３９の係合が解除され始めることから、そのような端部２９Ｂに傾斜面部２９Ｄが設けられていることで、蓋体側係合部３９を一層外れ易くできる。なお、端部２９Ａ側の傾斜面部２９Ｄは省略してもよいが、端部２９Ａ側にも設けることで、係合解除終盤でも蓋体側係合部３９を解除し易くできる可能性がある。また、蓋体側係合部３９の両端に、より先端に向かうに従ってかつより上部に向かうに従って徐々に薄くなる傾斜面部を設けてもよい。
【００３６】
〈その他の変形例〉
例えば蓋体側係合部３９の蓋体側長辺３６側の端部を、蓋体３に設定される仮想直線を基準として３０°〜６０°の角度範囲に位置させ、蓋体側短辺側の端部を、仮想直線を基準として９０°までの角度範囲に位置させてもよいし、本体側係合部２９および蓋体側係合部３９の両方をそのように設けてもよい。
【００３７】
本体側係合部２９や蓋体側係合部３９は、周方向に複数設けられていてもよく、その中の最も本体側長辺２６や蓋体側長辺３６寄りの係合部２９，３９において、本発明が適用されればよい。
【００３８】
立上側壁２４や垂下側壁３４は、平面視で矩形状ではなく、正方形であってもよい。また、矩形状とされた場合でも、把持される側を本体側短辺２７や蓋体側短辺３７とし、非把持側を本体側長辺２６や蓋体側長辺３６としてもよい。
【産業上の利用可能性】
【００３９】
本発明は、例えばバター等の食品を収容する容器として好適に利用できる。
【符号の説明】
【００４０】
１…容器、２…容器本体、２Ａ…開口、３…蓋体、２４…立上側壁、２５…本体側角部、２６…把持側辺である本体側長辺、２７…非把持側辺である本体側短辺、２９…本体側係合部、２９Ａ…一端部である端部、２９Ｂ…他端部である端部、２９Ｃ…凹状部、３４…垂下側壁、３５…蓋体側角部、３６…把持側辺である蓋体側長辺、３７…非把持側辺である蓋体側短辺、３９…蓋体側係合部、α、β…角度。
【図１】
0006777393.tif 000002
【図２】
0006777393.tif 000003
【図３】
0006777393.tif 000004
【図４】
0006777393.tif 000005
【図５】
0006777393.tif 000006